(57)【要約】      （修正有）【課題】睡眠の質を効果的に改善し、不眠の確率を低下させ、睡眠障害を解決できる昇降式睡眠用枕を提供する。【解決手段】昇降式睡眠用枕は人体の寝姿に基づき即時に自動的に高さを変え、その内部に高さ制御ユニット４を有し、高さ制御ユニットはエアポンプ４１、ベントバルブ４３、パイプ、エアバッグ昇降装置４４、平衡装置５を有し、頭部サポートに最も適した高さを提供できる。【選択図】図２
0003224095.tif 000002
【実用新案登録請求の範囲】
【請求項１】
昇降式睡眠用枕であって、寝姿感知及び指令装置、睡眠用枕を有し、
前記寝姿感知及び指令装置は、人体寝姿を探知する作用を備え、探知結果に基づき電子信号を発し、
前記睡眠用枕は内部に、高さ制御ユニットを設置し、前記寝姿感知及び指令装置の前記電子信号を受信して、前記睡眠用枕の高さを調整でき、
前記睡眠用枕中には、エアポンプと、１個或いは１個以上のエアバッグ昇降装置を設置し、
前記エアポンプは、各エアバッグ昇降装置に空気を充填し昇降の高さを調整できる
ことを特徴とする昇降式睡眠用枕。
【請求項２】
前記睡眠用枕は、信号受信及び空気充填／放出コントロールユニットをさらに有し、しかも前記睡眠用枕には、コントロールボックスを配置する
ことを特徴とする請求項１に記載の昇降式睡眠用枕。
【請求項３】
前記睡眠用枕外部は、底台、上台、クッション蓋、クッションにより組成され、
前記底台と前記上台間には、空間があり、前記空間内には、前記高さ制御ユニットを収容する
ことを特徴とする請求項１に記載の昇降式睡眠用枕。
【請求項４】
前記エアポンプは、消音部品と連接し、
前記消音部品は、逆止バルブとさらに連接し、
前記逆止バルブは、ベントバルブにさらに連接し、
前記ベントバルブは、前記各エアバッグ昇降装置に連通する
ことを特徴とする請求項１から請求項３のいずれかに記載の昇降式睡眠用枕。
【請求項５】
前記各エアバッグ昇降装置は、やや直立した蛇腹管状構造である
ことを特徴とする請求項１から請求項３のいずれかに記載の昇降式睡眠用枕。
【請求項６】
前記高さ制御ユニット中には、信号受信及び空気充填／放出コントロールユニット、電池、高さセンサーをさらに設置する
ことを特徴とする請求項１から請求項３のいずれかに記載の昇降式睡眠用枕。
【請求項７】
前記睡眠用枕中には、少なくとも２個の平衡装置をさらに設置し、
前記各平衡装置は、Ｘ状サポートフレームである
ことを特徴とする請求項１から請求項３のいずれかに記載の昇降式睡眠用枕。
【考案の詳細な説明】
【技術分野】
【０００１】
本考案は昇降式睡眠用枕に関し、特に人体の寝姿に基づき、最も適した高さに即時に自動的に変えられる昇降式睡眠用枕に関する。
【背景技術】
【０００２】
睡眠障害を抱えている現代人は多い。
その大きな原因は、不適切な睡眠用枕を使用していることである。
人体が仰向け寝する時と横向き寝する時では、首が寝床面に対する間隔距離には差がある。
実際に人体が仰向け寝である時には、首の後ろから寝床面までの間隔距離は小さく、睡眠用枕の高さは低くする必要がある。
【０００３】
しかし、人体が横向き寝である時には、人体横側は肩の関係で、首及び頭部と寝床面との間隔距離は拡大する。
こうして、睡眠用枕の高さは、それに従い拡大する必要があり、そうでなければ頭部と頚部を効果的に支えることはできない。
【０００４】
しかし、市販の睡眠用枕はすべて高さが一定で、理想的ではない。
すなわち、寝姿に対応して自動的に高さを調整できない従来の睡眠用枕は、上述の問題を回避することはできず、また睡眠に関する問題を解決することもできず、人体の生理的要求に応え睡眠の質を高めることはできない。
【考案の概要】
【考案が解決しようとする課題】
【０００５】
前記先行技術は高さが一定で、即時に人体の寝姿に対応して最も適した高さに直ちに調整できないという欠点がある。
【課題を解決するための手段】
【０００６】
本考案は人体の寝姿を自動的に感知し、個人が設定した高さを記憶し、高さを即時に調整し、これにより人体の状態に最も適した睡眠用枕の高さを提供し、睡眠の質を効果的に改善し、不眠の確率を低下させ、睡眠障害を解決でき、内部ではエアバッグ昇降装置を利用し高さを調整し、高さが足りない時にはエアポンプを利用して空気を充填し、反対に睡眠用枕の高さが高過ぎれば、エアバッグ昇降装置内部で空気を排出し、これにより高さを低くし最適な状態を実現する昇降式睡眠用枕に関する。
【０００７】
本考案による昇降式睡眠用枕は、寝姿感知及び指令装置を人体に配置し、該寝姿感知及び指令装置は、人体の寝姿を探知でき、該人体の寝姿状態を、有線或いは無線方式で、睡眠用枕に伝送する。
次に睡眠用枕は該信号に基づき、直ちに自動的に調整され、睡眠用枕は個人設定の快適な高さになり、前述の目的を達成できる。
【０００８】
上述の人体寝姿感知及び指令装置は、高さ設定及びオン／オフのリモコン機能を備える。
該睡眠用枕中には、信号受信及び空気充填／放出コントロールユニットをさらに有する。
該睡眠用枕には、必要に応じて、スイッチ、充電ポート、インジケーター、電源接続等の操作及び制御装置を設置する。
本考案の睡眠用枕は、高さを調整するため、該睡眠用枕外部は、底台、上台、クッション蓋、クッションにより組成される。
該底台と上台間には、距離を変えられる空間を有し、該空間内には、高さ制御ユニットを収容し、高さを調整できる。
【０００９】
該高さ制御ユニットは、エアポンプ、消音部品、ベントバルブ、逆止バルブ、エアバッグ昇降装置、信号受信及び空気充填／放出コントロールユニット、電池を有する。
該エアポンプは、空気充填作用を提供し、パイプにより、消音部品と連接する。
該消音部品は、エアポンプ作動音を低下させる消音作用を提供できる。
該消音部品は、パイプにより、逆止バルブと連接する。
該逆止バルブは、一方向に流れる逆止及び気圧保持作用を提供する。
該逆止バルブは、ベントバルブにさらに連接し、該ベントバルブは、ベント作用を提供できる。
該ベントバルブは、パイプにより各エアバッグ昇降装置にさらに連通する。
該各エアバッグ昇降装置は、やや直立した蛇腹管状構造で、エアポンプと連通する。
【００１０】
該高さ制御ユニット中には、信号受信及び空気充填／放出コントロールユニット、電池、高さセンサーをさらに設置する。
該信号受信及び空気充填／放出コントロールユニットは、高さの状態を決定でき、該電池は、全体作動の電力を提供し、該高さセンサーは、睡眠用枕の昇降高度を探知できる。
【００１１】
該各エアバッグ中には、必要に応じて弾性部品を設置し、これにより昇降のスムーズ性と力を提供し、枕面の四方位に分布させることで枕面の水平保持を促進する。
該弾性部品の上、下は、それぞれ定位部品を利用し定位する。
【００１２】
該上台の昇降時平衡を維持するため、該底台と上台との間には、２個の平衡装置を配置する。
該各平衡装置は、Ｘ状サポートフレームで、良好な昇降平衡作用を提供できる。
【図面の簡単な説明】
【００１３】
【図１】本考案構成のブロックチャートである。
【図２】本考案の立体分解図である。
【図３】本考案の断面構造図である。
【図４】本考案実施時に人体が仰向け寝の模式図である。
【図５】本考案実施時に人体が横向き寝の模式図である。
【図６】本考案エアバッグ昇降装置上昇時の断面動作模式図である。
【考案を実施するための形態】
【００１４】
（一実施形態）
図１に示す通り、本考案による昇降式睡眠用枕は、寝姿感知及び指令装置１を人体に配置する。
寝姿感知及び指令装置１は、人体の寝姿を探知でき、人体の寝姿状態を、有線或いは無線方式で、睡眠用枕３に伝送し、次に睡眠用枕３は信号に基づき、睡眠用枕を最も適した高さに直ちに自動的に調整し、前述の目的を達成する。
睡眠用枕３中には、信号受信及び空気充填／放出コントロールユニット２、高さ制御ユニット４をさらに有し、さらに睡眠用枕３には、必要に応じて、スイッチ、充電ポート、インジケーター、電源接続装置等の操作及び制御装置等部品を設置する。
【００１５】
図２、図３に示す通り、睡眠用枕３外部は、底台３１、上台３２、クッション蓋３３、クッション３４により組成される。
底台３１と上台３２間には、距離空間を形成し、  空間内には、高さ制御ユニット４を収容できる。
高さ制御ユニット４は、エアポンプ４１、消音部品４２、ベントバルブ４３、逆止バルブ４２２、エアバッグ昇降装置４４、信号受信及び空気充填／放出コントロールユニット２、電池４６を有する。
エアポンプ４１は、空気充填作用を提供し、パイプにより、消音部品４２と連接する。
消音部品４２は、エアポンプ作動音を低下させる消音作用を提供できる。
消音部品４２は、パイプにより、逆止バルブ４２２と連接する。
逆止バルブ４２２は、一方向に流れる逆止保持圧力作用を提供する。
逆止バルブ４２２は、ベントバルブ４３にさらに連接し、ベントバルブ４３は、ベント作用を提供できる。
ベントバルブ４３は、パイプにより各エアバッグ昇降装置４４にさらに連通する。
各エアバッグ昇降装置４４は、エアバッグ構造で、エアバッグは、やや直立した蛇腹管状構造で、エアポンプ４１と連通する。
【００１６】
高さ制御ユニット４中には、信号受信及び空気充填／放出コントロールユニット２、電池４６と高さセンサー４７をさらに設置する。
信号受信及び空気充填／放出コントロールユニット２は、高さの状態を決定でき、電池４６は、全体作動の電力を提供し、高さセンサー４７は、睡眠用枕３の昇降高度を探知できる。
【００１７】
上台３２の昇降時の平衡を維持するため、底台３１と上台３２との間には、２個の平衡装置５を配置する。
各平衡装置５は、Ｘ状サポートフレームで、良好な昇降平衡作用を提供できる。
【００１８】
本考案実施時、図３、図４に示す通り、人体９が仰向け寝の寝姿である時には、寝姿感知及び指令装置１を利用し、その状態を感知する。
睡眠用枕３が相対的に低い位置にある時には、エアバッグ昇降装置４４は空気を充填しない。
【００１９】
図５、図６に示す通り、人体９が横向き寝に寝姿を変えた時、人体の横側は肩の関係で、首及び頭部と寝床面との間隔距離は拡大し、睡眠用枕の高さを拡大する必要が生じる。
そのため、寝姿感知及び指令装置１がその状態を感知し、睡眠用枕３の高さを調整する必要がある。
こうして、エアポンプ４１は各エアバッグ昇降装置４４に空気を充填して上昇させ、両側の平衡装置５の平衡作用を対応させることで、睡眠用枕３の頂面の高さは上昇する。
これにより、最も適した高さを提供し、人体９の頭部を支えることができる。
【００２０】
人体９が寝姿を仰向け寝にさらに変え、睡眠用枕３の高さを低くする必要が生じると、ベントバルブ４３が開き、エアバッグ昇降装置４４内の空気を排出することができる。
これにより、睡眠用枕３の高さを適当に自動的に低下させることができ、非常に理想的である。
【００２１】
前述した本考案の実施形態は本考案を限定するものではなく、よって、本考案により保護される範囲は後述される実用新案登録請求の範囲を基準とする。
【符号の説明】
【００２２】
１  寝姿感知及び指令装置
２  信号受信及び空気充填／放出コントロールユニット
３  睡眠用枕
３１  底台
３２  上台
３３  クッション蓋
３４  クッション
４  高さ制御ユニット
４１  エアポンプ
４２  消音部品
４２２    逆止バルブ
４３  ベントバルブ
４４  エアバッグ昇降装置
４６  電池
４７  高さセンサー
５  平衡装置
【図１】
0003224095.tif 000003
【図２】
0003224095.tif 000004
【図３】
0003224095.tif 000005
【図４】
0003224095.tif 000006
【図５】
0003224095.tif 000007
【図６】
0003224095.tif 000008